(57)【要約】【課題】ユーザの所望する広告コンテンツ情報をユーザに提供する。【解決手段】端末装置（１００）は、コンテンツ情報を提供する情報提供者に対し、端末装置（１００）を特定する端末特定情報の提供が求められる広告コンテンツ情報と、必ずしも端末特定情報の提供が求められることのない一般コンテンツ情報と、をネットワークから収集し、情報記憶手段（４０）に蓄積する情報取得手段（３１）と、端末装置（１００）への操作内容に基づいて情報記憶手段（４０）から選択された表示対象とする表示コンテンツ情報及び表示コンテンツ情報に関連する広告コンテンツ情報、または、端末装置（１００）への操作内容に基づいて情報記憶手段（４０）から選択された広告コンテンツ情報を表示手段（２０）に表示する表示制御手段（３５）と、を有する。【選択図】図１
2015022555.tif 000002
【特許請求の範囲】
【請求項１】
コンテンツ情報を表示手段に表示する端末装置であって、
前記コンテンツ情報を提供する情報提供者に対し、前記端末装置を特定する端末特定情報の提供が求められる広告コンテンツ情報と、必ずしも前記端末特定情報の提供が求められることのない一般コンテンツ情報と、をネットワークから収集し、情報記憶手段に蓄積する情報取得手段と、
前記端末装置への操作内容に基づいて前記情報記憶手段から選択された表示対象とする表示コンテンツ情報及び前記表示コンテンツ情報に関連する前記広告コンテンツ情報、または、前記端末装置への操作内容に基づいて前記情報記憶手段から選択された前記広告コンテンツ情報を前記表示手段に表示する表示制御手段と、
を有することを特徴とする端末装置。
【請求項２】
前記表示制御手段は、
前記表示コンテンツ情報に関連する前記広告コンテンツ情報を前記情報記憶手段から選択し、前記表示コンテンツ情報及び前記広告コンテンツ情報を前記表示手段に表示する、ことを特徴とする請求項１記載の端末装置。
【請求項３】
前記コンテンツ情報が予め定められた複数のカテゴリの何れのカテゴリに分類されるかを判別するカテゴリ判別手段を有し、
前記表示制御手段は、
前記表示コンテンツ情報のカテゴリと類似するカテゴリに分類された前記広告コンテンツ情報を前記表示手段に表示する、ことを特徴とする請求項１または請求項２記載の端末装置。
【請求項４】
前記表示制御手段は、
前記表示コンテンツ情報に含まれているキーワードが含まれている前記広告コンテンツ情報を前記表示手段に表示する、ことを特徴とする請求項１から請求項３の何れか１項に記載の端末装置。
【請求項５】
前記表示制御手段は、
前記表示手段に表示した前記広告コンテンツ情報に関する詳細情報をバックグラウンドで読み込み、前記広告コンテンツ情報に対する再生操作が行われた場合に、前記詳細情報を前記表示手段に表示する、ことを特徴とする請求項１から請求項４の何れか１項に記載の端末装置。
【請求項６】
コンテンツ情報を表示手段に表示する端末装置のコンピュータに実行させるプログラムであって、
前記コンテンツ情報を提供する情報提供者に対し、前記端末装置を特定する端末特定情報の提供が求められる広告コンテンツ情報と、必ずしも前記端末特定情報の提供が求められることのない一般コンテンツ情報と、をネットワークから収集し、情報記憶手段に蓄積する情報取得処理と、
前記端末装置への操作内容に基づいて前記情報記憶手段から選択された表示対象とする表示コンテンツ情報及び前記表示コンテンツ情報に関連する前記広告コンテンツ情報、または、前記端末装置への操作内容に基づいて前記情報記憶手段から選択された前記広告コンテンツ情報を前記表示手段に表示する表示制御処理と、を前記コンピュータに実行させることを特徴とするプログラム。
【発明の詳細な説明】
【技術分野】
【０００１】
本開示は、ユーザが使用するＰＣ（Personal Computer）等の端末装置に関する。
【背景技術】
【０００２】
従来、サーバ側は、ユーザがＰＣ等の端末装置を操作してサーバ側にアクセスした際のログ情報を解析し、その解析結果を基に、端末装置を操作しているユーザの嗜好に適した広告コンテンツ情報をユーザの端末装置に提供していた。
【０００３】
また、サーバ側は、端末装置の表示部にコンテンツ情報が表示された場合は、そのコンテンツ情報を特定することができた。このため、サーバ側は、端末装置の表示部に表示されたコンテンツ情報からユーザの嗜好を把握することが可能であった。
【０００４】
しかし、この場合、ユーザがＰＣ等の端末装置を操作してサーバ側にアクセスした際のログ情報をサーバ側に提供することで、ユーザがどのコンテンツ情報を閲覧したか（どのようなコンテンツ情報に興味があるのか）がサーバ側で把握できてしまうため、プライバシ保護の観点から好ましくない。
【０００５】
但し、ユーザは、このような状況においてプライバシ保護を行うためにログ情報をサーバ側に提供しないと、ユーザの嗜好に適さない広告コンテンツ情報がサーバ側から提供されるため、広告コンテンツ情報の閲覧率向上にも影響を及ぼすおそれがある。
【０００６】
このため、ユーザがどのようなコンテンツ情報を閲覧したかをサーバ側に把握させずに、ユーザの所望する広告コンテンツ情報をユーザに提供させる仕組みが必要視されている。
【０００７】
なお、本発明よりも先に出願された技術文献として、特許文献１（特開2007-172174号公報）には、サーバ側に端末装置の操作履歴情報を送信することなく、利用者にとって有用であり、結果として効果的な広告を端末装置に表示する技術について開示されている。
【０００８】
特許文献１では、利用者端末は、広告を提供する広告情報提供装置から広告群を受信し、ローカル広告群ＤＢに格納する。また、利用者端末は、利用者が利用者端末を操作した履歴であるローカル操作履歴情報をローカル操作履歴ＤＢに格納する。そして、利用者端末は、広告群とローカル操作履歴情報とに基づいて表示手段に表示する広告を選択し、その広告を表示手段に表示するようにしている。これにより、サーバ側に端末装置の操作履歴情報を送信することなく、利用者にとって有用であり、結果として効果的な広告を端末装置に表示することを可能にしている。
【先行技術文献】
【特許文献】
【０００９】
【特許文献１】特開２００７−１７２１７４号公報
【発明の概要】
【発明が解決しようとする課題】
【００１０】
特許文献１では、サーバ側に端末装置の操作履歴情報を送信することなく、利用者にとって有用であり、結果として効果的な広告を端末装置に表示することを可能にしている。しかし、特許文献１では、予め決められた広告情報提供装置から広告群を受信することを前提としており、ネットワーク上に存在する不特定多数のサーバから広告コンテンツ情報を取得する場合は、端末装置を特定する端末特定情報の提供がサーバ側に求められることになり、その場合は、ユーザがどのような広告コンテンツ情報を閲覧したかがサーバ側で把握できてしまうことになる。端末特定情報は、クッキー（Cookie）等の情報を意味する。また、特許文献１では、広告のクリック履歴を課金サーバ側で取得し、どの端末装置がどの広告をクリックしたかがわかるようになっている。このため、特許文献１の技術では、ユーザがＰＣ等の端末装置を操作してサーバ側にアクセスした際のログ情報をサーバ側に提供しており、ユーザがどのような広告コンテンツ情報を閲覧したかをサーバ側で把握できてしまうことになる。
【００１１】
本開示の目的は、ユーザがどのようなコンテンツ情報を閲覧したかをサーバ側に把握させずに、ユーザの所望する広告コンテンツ情報をユーザに提供することが可能な端末装置を提供することにある。
【課題を解決するための手段】
【００１２】
本開示の一態様にかかる端末装置は、
コンテンツ情報を表示手段に表示する端末装置であって、
前記コンテンツ情報を提供する情報提供者に対し、前記端末装置を特定する端末特定情報の提供が求められる広告コンテンツ情報と、必ずしも前記端末特定情報の提供が求められることのない一般コンテンツ情報と、をネットワークから収集し、情報記憶手段に蓄積する情報取得手段と、
前記端末装置への操作内容に基づいて前記情報記憶手段から選択された表示対象とする表示コンテンツ情報及び前記表示コンテンツ情報に関連する前記広告コンテンツ情報、または、前記端末装置への操作内容に基づいて前記情報記憶手段から選択された前記広告コンテンツ情報を前記表示手段に表示する表示制御手段と、
を有することを特徴とする。
【発明の効果】
【００１３】
本開示の一態様によれば、ユーザがどのようなコンテンツ情報を閲覧したかをサーバ側に把握させずに、ユーザの所望する広告コンテンツ情報をユーザに提供することができる。
【図面の簡単な説明】
【００１４】
【図１】本実施形態の端末装置１００の構成例を示すブロック図である。
【図２】本実施形態の端末装置１００による動作例を示すフローチャートである。
【図３】端末装置１００による表示画面の遷移例を示す図である。
【図４】アプリケーションの選択画面５０１の具体例を示す図である。
【図５】時間順の一覧表示画面５０２の具体例を示す図である。
【図６】カテゴリ順の一覧表示画面５０３の具体例を示す図である。
【図７】詳細表示画面５０６の具体例を示す図である。
【図８】興味設定画面５０７の具体例を示す図である。
【図９】広告コンテンツ情報の一覧用画像Ｆの表示画面の例を示す図である。
【発明を実施するための形態】
【００１５】
（本開示の一態様にかかる端末装置１００の実施形態の概要）
まず、図１を参照しながら、本開示の一態様にかかる端末装置１００の実施形態の概要について説明する。図１は、本開示の一態様にかかる端末装置１００の一構成例を示す図である。
【００１６】
本開示の一態様にかかる端末装置１００は、コンテンツ情報を表示手段２０に表示する端末装置１００である。表示手段２０は、操作表示部２０が機能する。
【００１７】
本開示の一態様にかかる端末装置１００は、情報取得手段３１と、表示制御手段３５と、を有している。情報取得手段３１は、情報取得部３１が機能する。表示制御手段３５は、表示制御部３５が機能する。
【００１８】
情報取得手段３１は、コンテンツ情報を提供する情報提供者に対し、端末装置１００を特定する端末特定情報の提供が求められる広告コンテンツ情報と、必ずしも端末特定情報の提供が求められることのない一般コンテンツ情報と、をネットワークから収集し、情報記憶手段４０に蓄積する。情報記憶手段４０は、記憶部４０が機能する。
【００１９】
表示制御手段３５は、端末装置１００への操作内容に基づいて情報記憶手段４０から選択された表示対象とする表示コンテンツ情報及び表示コンテンツ情報に関連する広告コンテンツ情報、または、端末装置１００への操作内容に基づいて情報記憶手段４０から選択された広告コンテンツ情報を表示手段２０に表示する。
【００２０】
本開示の一態様にかかる端末装置１００は、広告コンテンツ情報、一般コンテンツ情報をネットワークから収集し、情報記憶手段４０に蓄積する。これにより、端末装置１００は、不特定多数のコンテンツ情報を情報記憶手段４０に蓄積することになる。そして、端末装置１００は、端末装置１００への操作内容に基づいて情報記憶手段４０から選択された表示対象とする表示コンテンツ情報及び表示コンテンツ情報に関連する広告コンテンツ情報、または、端末装置１００への操作内容に基づいて情報記憶手段４０から選択された広告コンテンツ情報を表示手段２０に表示する。
【００２１】
本開示の一態様にかかる端末装置１００は、不特定多数の広告コンテンツ情報をネットワークから収集する際は、端末特定情報を情報提供者側に提供することになるが、その不特定多数の広告コンテンツ情報を表示手段２０に表示せず、情報記憶手段４０に一旦蓄積し、その情報記憶手段４０に一旦蓄積した不特定多数の広告コンテンツ情報の中から選択された広告コンテンツ情報を表示手段２０に表示するようにしている。このため、サーバ２００側の情報提供者は、端末装置１００から端末特定情報を取得することになるが、その端末特定情報だけでは、端末装置１００においてどの広告コンテンツ情報を表示手段２０に表示しているのかを把握することができないことになる。また、本開示の一態様にかかる端末装置１００は、端末装置１００への操作内容に基づいて情報記憶手段４０から選択された表示対象とする表示コンテンツ情報に関連する広告コンテンツ情報、または、端末装置１００への操作内容に基づいて情報記憶手段４０から選択された広告コンテンツ情報を表示手段２０に表示している。このため、ユーザの所望する広告コンテンツ情報をユーザに提供することができる。
【００２２】
従って、本開示の一態様にかかる端末装置１００は、ユーザがどのようなコンテンツ情報を閲覧したかをサーバ２００側に把握させずに、ユーザの所望する広告コンテンツ情報をユーザに提供することができる。以下、添付図面を参照しながら、本開示の一態様にかかる端末装置１００の実施形態について詳細に説明する。
【００２３】
＜端末装置１００の構成例＞
まず、図１を参照しながら、本実施形態の端末装置１００の構成例について説明する。図１は、本実施形態の端末装置１００の構成例を示す図である。
【００２４】
本実施形態の端末装置１００は、例えば、ＰＣ、スマートフォンなど、各種の装置が適用可能である。
【００２５】
本実施形態の端末装置１００は、図１に示すように、通信部１０と、操作表示部２０と、制御部３０と、記憶部４０と、を備えて構成される。
【００２６】
通信部１０は、有線または無線により、インターネットなどのネットワークを介して、各種Ｗｅｂサーバ２００等に接続する。また、ＴＶ受信用アンテナ及びＴＶチューナを備え、ＴＶ番組表やＴＶ番組放送を受信する。なお、Ｗｅｂサーバ２００は、アドネットワークを提供するサーバ装置等も含まれる。
【００２７】
操作表示部２０は、例えば、タッチパネルディスプレイなどであり、各種情報を画面表示すると共に、ユーザによる操作入力を受け付ける。
【００２８】
制御部３０は、端末装置１００の制御を行う。制御部３０は、情報取得部３１と、カテゴリ判別部３２と、興味解析部３３と、選択部３４と、表示制御部３５と、を備えて構成される。
【００２９】
情報取得部３１は、通信部１０によりネットワークを介して各種のＷｅｂサーバ２００に接続し、不特定多数のコンテンツ情報を取得する。本実施形態の情報取得部３１は、コンテンツ情報を提供する情報提供者に対し、端末装置１００を特定する端末特定情報の提供が求められる広告コンテンツ情報と、必ずしも端末特定情報の提供が求められることのない一般コンテンツ情報と、の不特定多数のコンテンツ情報をネットワークから収集し、記憶部４０に蓄積する。端末特定情報は、クッキー（Cookie）等の情報を意味する。
【００３０】
情報取得部３１は、広告コンテンツ情報や一般コンテンツ情報をＷｅｂサーバ２００から取得する場合は、端末特定情報をＷｅｂサーバ２００に提供することになる。しかし、情報取得部３１は、広告コンテンツ情報や一般コンテンツ情報をユーザが閲覧するかしないかにかかわらず、不特定多数の広告コンテンツ情報や一般コンテンツ情報をＷｅｂサーバ２００から逐次取得するため、Ｗｅｂサーバ２００側は、端末特定情報を取得しても、ユーザがどのコンテンツ情報を閲覧したかを把握することができないことになる。
【００３１】
カテゴリ判別部３２は、記憶部４０に蓄積したコンテンツ情報が、予め定められたカテゴリ単位の何れに分類されるかを判別する。
【００３２】
カテゴリ単位は、記憶部４０に蓄積した多様なコンテンツ情報をその内容に応じて分類する分類単位であり、例えば、サッカー、野球、音楽、エンターテインメントなどを含んでよい。なお、コンテンツ情報は、１つのカテゴリに分類されず、複数のカテゴリに跨ることもある。例えば、コンテンツ情報がサッカーのニュースに関する内容である場合は、サッカー、ニュースの２つのカテゴリに跨ることになる。
【００３３】
なお、カテゴリ単位の一覧を示すカテゴリ単位テーブル４１は、記憶部４０に記憶される。カテゴリ単位テーブル４１に含まれるカテゴリ単位の一覧は、初期設定として定められる構成であってもよく、ユーザ設定により登録できる構成であってもよい。
【００３４】
カテゴリ判別部３２は、記憶部４０に蓄積したコンテンツ情報の内容を解析し、コンテンツ情報のカテゴリ単位を判別してもよい。この場合、例えば、コンテンツ情報に含まれるテキストデータに所定のキーワードが含まれるか否かでカテゴリを判別するなど、判別方法は各種の方法を用いることができる。
【００３５】
また、Ｗｅｂサーバ２００から取得する取得対象のコンテンツ情報がカテゴリ毎にカテゴリ単位テーブル４１に登録されている場合は、その取得したコンテンツ情報を、そのカテゴリに分類するコンテンツ情報として判別することも可能である。例えば、サッカーのカテゴリに、コンテンツ情報Ａ、Ｂ、Ｃが登録されている場合は、その取得したコンテンツ情報Ａ、Ｂ、Ｃは、サッカーのカテゴリに分類されると判定する。なお、カテゴリ毎に収集する一日当たりのコンテンツ情報は、均一にすることが好ましい。これにより、Ｗｅｂサーバ２００側は、ユーザがどのカテゴリのコンテンツ情報に興味を持っているかを把握し難くすることができる。
【００３６】
興味解析部３３は、再生対象とされたコンテンツ情報への操作内容に応じて、端末装置１００のユーザの興味情報を解析する。興味解析部３３による興味情報の解析では、コンテンツ情報の再生及び記録に関連する操作として予め定められた操作が行われた場合に、その操作内容に応じて予め定められたポイントを、操作対象とされたコンテンツ情報に付与する。
【００３７】
例えば、コンテンツ情報の再生操作が行われた場合、再生対象のコンテンツ情報に１ポイント付与する。また、記憶部４０への保存操作が行われた場合、保存対象とされたコンテンツ情報に３ポイント付与する。また、再生されたコンテンツ情報に対して「いいね」ボタンなどにより投稿が行われた場合、そのコンテンツ情報に５ポイント付与する。また、コンテンツ情報に対して削除の操作が行われた場合、削除対象とされたコンテンツ情報に−１５ポイント付与する。
【００３８】
また、再生対象のコンテンツ情報を表示し続けている時間を滞在時間として所定のポイントを付与するようにしてもよい。このようにポイントを付与することにより、操作内容に応じてコンテンツ毎の重み付けを行う。
【００３９】
そして、興味解析部３３は、ポイントが付与されたコンテンツ情報が含まれるカテゴリ単位毎にポイントを合算した累積ポイントを算出する。こうして興味解析部３３は、カテゴリ単位毎の累積ポイントを比較することにより、各カテゴリ単位について、ユーザにとって興味の大きい順序を定める。この累積ポイントがユーザの興味を表す興味度となる。
【００４０】
選択部３４は、操作表示部２０に表示する一覧画面への表示対象とするコンテンツ情報を選択する。一覧画面の表示形式は、設定に応じて各種定められてよい。選択部３４は、設定された表示形式に応じて、一覧画面における表示対象とされる所定数のコンテンツ情報を、興味解析部３３により解析された興味情報などを用いて選択する。例えば、コンテンツ情報に対するユーザの興味と、カテゴリに対するユーザの興味と、を特定の関数（例えば、単純な和など）で算出したユーザの興味を用いて所定数のコンテンツ情報を選択する。例えば、カテゴリとしてサッカーが存在し、そのサッカーのカテゴリに属するコンテンツ情報として、サッカーニュース１、サッカーニュース２、サッカー広告１が存在するとする。この場合、サッカーのカテゴリに対して所定の操作を行うユーザに対してサッカー広告１を表示したりすることができる。また、サッカー広告１に対しても所定の操作を行うユーザに対して更に多くのサッカー広告１を表示することが可能となる。
【００４１】
なお、本実施形態における表示対象は、操作表示部２０に一度に表示される表示内容に加えて、画面のスクロールにより表示される部分についても、所定の表示領域まで表示対象として扱う対象に含めることとしてよい。
【００４２】
表示制御部３５は、ユーザの興味に合うコンテンツ情報の一覧を一覧画面として表示するための一覧用画像を生成する。一覧用画像は、表示対象とされた各コンテンツ情報に対応して生成され、テキストデータ及び画像などにより構成される。こうして、一覧用画像は、見た目の美しさを提供すると共に、Ｗｅｂブラウザによりリンク先のＷｅｂサイトを表示させるリンク元としても機能する。
【００４３】
また、表示制御部３５は、表示対象とされたコンテンツ情報に対応する一覧用画像を生成する。
【００４４】
このように、表示制御部３５は、情報取得部３１により記憶部４０に蓄積した不特定多数のコンテンツ情報を用いて、表示対象として選択された各コンテンツ情報に対応する一覧用画像を生成する。
【００４５】
また、表示制御部３５は、予め設定された一覧画面の表示形式に応じて、上記生成した一覧用画像を所定の画面フォーマット内に配置し、操作表示部２０に表示させる一覧表示画面を生成する。一覧用画像は、興味解析部３３で解析された興味情報に基づいて累積ポイントの高いカテゴリ単位から順に並べられ、予め設定された一覧画面の表示形式に応じて、一覧表示画面の所定の画面フォーマット内に配置される。これにより、一覧表示画面には、ユーザが興味のあるカテゴリのコンテンツ情報が含まれることになる。なお、本実施形態では、一覧表示画面には、ユーザが興味のあるカテゴリの一般コンテンツ情報だけでなく広告コンテンツ情報も含まれることになる。
【００４６】
なお、本実施形態の表示制御部３５は、一覧用画像を所定の画面フォーマット内に配置する場合に、広告コンテンツ情報の一覧用画像がある場合は、その広告コンテンツ情報を表示するように選択してもよい。これにより、興味のある属性はもっていないが、興味ある情報に関連する広告コンテンツ情報を選択することができる。また、ユーザの嗜好がＷｅｂサーバ２００側に通知することなく、ユーザが興味を持つと推定される広告コンテンツ情報の選択を端末装置１００内だけで実施することができる。また、Ｗｅｂサーバ２００側から送信した広告コンテンツ情報のうち、端末装置１００においてどれが表示されたかＷｅｂサーバ２００側から不明なため、ユーザの嗜好情報を推定することもできない。
【００４７】
なお、本実施形態における表示画面は、操作表示部２０に一度に表示される表示内容に加えて、画面のスクロールにより表示される部分についても、所定の表示領域まで表示画面として扱う対象に含めることとしてよい。
【００４８】
＜端末装置１００の処理動作例＞
次に、本実施形態の端末装置１００による動作例について、図２〜図９の画面遷移例を用いて説明する。図２は、本実施形態の端末装置１００の処理動作例を示す。図３〜図９は、端末装置１００による表示画面の遷移例を示す。
【００４９】
本実施形態の端末装置１００では、操作表示部２０に表示される表示画面に対してユーザにより行われた操作に応じて、興味解析部３３が上述のように興味情報の解析を行う。こうした本実施形態の端末装置１００でユーザが各種操作を行うための表示画面の遷移例を図３に示す。
【００５０】
端末装置１００の操作表示部２０には、ＯＳにより構成されるアプリケーションの選択画面５０１が表示される。このアプリケーションの選択画面５０１では、例えば、図４に示すように、起動可能なアプリケーションを示すアイコン群６０１が表示される。そのアイコン群６０１の中には、本実施形態の一覧表示画面を実現するアプリケーションのアイコンも含まれることとする。図４では、本アプリケーションのロゴマーク６０２が含まれたアイコンとして示す。
【００５１】
アプリケーションの選択画面５０１で、本実施形態の機能を実現するアプリケーションのアイコンがクリックされると、図３に示すように、設定に応じて、時間順、または、カテゴリ順で構成されたコンテンツ情報の一覧表示画面が表示される。
【００５２】
時間順の一覧表示画面５０２では、例えば、図５に示すように、表示モード設定７００として「時間順で表示」と表示され、更新からの経過時間範囲を示す表示単位７０１毎に、所定数の一覧用画像群７０２が表示される。図５の例では、表示単位７０１として、更新から５分以内の範囲を示す「５分前」、更新から５分より長く、３０分以内の範囲を示す「３０分前」、が更新からの経過時間順に配置される。また、それぞれの経過時間範囲である表示単位７０１に対して、所定数の一覧用画像が一覧用画像群７０２として配置され、時間順一覧表示画面５０２が構成される。図５では、２列で８個の一覧用画像が一覧用画像群７０２として配置されている。なお、表示単位７０１の一覧用画像の数は、固定数ではなく、任意の数にすることも可能である。例えば、「５分前」、「３０分前」と時間帯が進むに従い、一覧用画像の数を増やすことも可能である。また、作成した一覧用画像が、表示単位７０１の一覧用画像の数に満たない場合は、複数の表示単位７０１を１つの表示単位７０１とすることも可能である。例えば、図５に示す「５分前」、「３０分前」の表示単位７０１ａ、７０１ｂを統合し、１つの表示単位７０１とすることも可能である。
【００５３】
なお、時間順の一覧表示画面５０２の一覧用画像群７０２として配置される所定数の一覧用画像の表示順序は、ユーザの興味が高いコンテンツ情報の順番で表示する。これにより、更新からの経過時間範囲を示す表示単位７０１毎に、ユーザの興味が高いコンテンツ情報を表示することができる。但し、一覧用画像の表示順序は特に限定せず、任意の表示順序で一覧用画像を表示することも可能である。
【００５４】
カテゴリ順の一覧表示画面５０３では、例えば、図６に示すように、表示モード設定７００として「カテゴリ順で表示」と表示され、表示対象とする表示カテゴリを示す表示単位７０１毎に、所定数の一覧用画像群７０２が表示される。図６の例では、表示単位７０１として、ユーザにとって興味のある表示カテゴリとされた順に「サッカー」、「音楽」が配置されている。また、それぞれの表示単位７０１である表示カテゴリに対して、所定数の一覧用画像が一覧用画像群７０２として配置され、カテゴリ順一覧表示画面５０３が構成される。図６では、２列で８個の一覧用画像が一覧用画像群７０２として配置されている。なお、表示単位７０１の一覧用画像の数は、固定数ではなく、任意の数にすることも可能である。また、表示単位７０１とされる表示カテゴリは、カテゴリ判別部３２で判別されるカテゴリ単位と同一であってもよく、複数のカテゴリ単位をまとめたものであってもよい。例えば、「国内ニュース」の表示カテゴリが、「サッカーのニュース」「政治のニュース」などの所定のカテゴリ単位をまとめたものとして構成されてもよい。
【００５５】
なお、カテゴリ順の一覧表示画面５０３の一覧用画像群７０２として配置される所定数の一覧用画像の表示順序は、更新からの経過時間が早いコンテンツ情報の順番で表示する。これにより、表示対象とする表示カテゴリを示す表示単位７０１毎に、更新からの経過時間が早いコンテンツ情報を表示することができる。但し、一覧用画像の表示順序は特に限定せず、任意の表示順序で一覧用画像を表示することも可能である。
【００５６】
また、時間順の一覧表示画面５０２で、更新からの経過時間範囲を示す表示単位７０１をクリックすると、図３に示すように、その表示単位７０１の経過時間範囲に更新されたコンテンツ情報に対応する一覧用画像が並べられた時間帯内一覧表示画面５０４が表示される。
【００５７】
また、カテゴリ順の一覧表示画面５０３で、表示カテゴリを示す表示単位７０１をクリックすると、図３に示すように、その表示単位７０１の表示カテゴリに分類されるコンテンツ情報に対応する一覧用画像が並べられたカテゴリ内一覧表示画面５０５が表示される。
【００５８】
また、上述のような時間順一覧表示画面５０２、カテゴリ順一覧表示画面５０３、時間帯内一覧表示画面５０４、カテゴリ内一覧表示画面５０５のそれぞれで表示された一覧用画像群７０２の何れかの一覧用画像をクリックすると、図３に示すように、クリックされた一覧用画像に対応するコンテンツ情報の詳細表示画面５０６が表示される。
【００５９】
詳細表示画面５０６では、クリックされた一覧用画像に対応するコンテンツ情報が例えば、ニュース記事である場合、図７に示すように、記事のタイトル８００と、代表画像８０１と、他の画像群８０２と、記事本文８０３とが表示される。図７の例では、他の画像群８０２として表示される何れかの画像がクリックされると、その画像が代表画像８０１として大きく表示される。
【００６０】
こうして詳細表示画面５０６によりコンテンツ情報の詳細を表示させると共に、不図示の操作部等により、操作表示部２０に表示したコンテンツ情報を端末装置１００内の記憶部４０に記録させられるようになっている。
【００６１】
また、詳細表示画面５０６は、クリックされた一覧用画像に対応するコンテンツ情報の種類に応じて、その種類のコンテンツ情報を再生するものとして予め定められたアプリケーションやプラグインにより、そのコンテンツ情報の再生を行う。また、不図示の操作部等からのユーザ操作により、コンテンツ情報の再生だけでなく、コンテンツ情報に対する投稿、記録、削除等の各種操作ができるようになっている。
【００６２】
例えば、コンテンツ情報の種類がＴＶ番組である場合、この詳細表示画面５０６でＴＶ番組を視聴できると共に、ＴＶ番組の録画操作、タイマー録画設定等の各種操作を行うことができる。
【００６３】
また、例えば、コンテンツ情報の種類が各種のＳＮＳである場合、この詳細表示画面５０６では、選択された人についてのＳＮＳでの投稿記事が投稿時間の新しい順に表示され、各投稿記事へのコメント、画像の装置内への記録等の各種操作を行うことができる。
【００６４】
なお、詳細表示画面５０６を構成する詳細情報は、時間順一覧表示画面５０２、カテゴリ順一覧表示画面５０３、時間帯内一覧表示画面５０４、カテゴリ内一覧表示画面５０５が操作表示部２０に表示された際に、バックグラウンドで予め読み込んでいる。そして、操作表示部２０に表示された上記何れかの表示画面に表示されている一覧用画像群７０２の何れかの一覧用画像をクリックすると、そのクリックされた一覧用画像に対応するコンテンツ情報の詳細表示画面５０６が表示されるようになっている。これにより、情報の一覧表示から、詳細情報の表示画面への画面切替を早くすることができる。なお、詳細表示画面５０６を構成する詳細情報をＷｅｂサーバ２００側から取得する場合は、詳細表示画面５０６を構成する詳細情報だけでなく、詳細表示画面５０６を構成しない他の詳細情報もＷｅｂサーバ２００側から取得する。これにより、端末装置１００は、操作表示部２０に表示する表示対象のコンテンツ情報だけでなく、操作表示部２０に表示しない非表示対象のダミーのコンテンツ情報をＷｅｂサーバ２００側から取得するため、Ｗｅｂサーバ２００側は、端末装置１００から端末特定情報を取得しても、ユーザがどのコンテンツ情報を閲覧したかを把握することができないことになる。
【００６５】
また、上述のような時間順一覧表示画面５０２、カテゴリ順一覧表示画面５０３、時間帯内一覧表示画面５０４、カテゴリ内一覧表示画面５０５、詳細表示画面５０６の何れかから、設定画面を起動させることにより、図３に示すように、興味設定画面５０７が表示される。
【００６６】
興味設定画面５０７では、例えば、図８に示すように、カテゴリ単位を大きくまとめた大分類９０１毎に、表示カテゴリ群９０２が関連付けられて表示される。表示カテゴリ群９０２では、その大分類９０１に分類される表示カテゴリがまとめて表示される。また、各表示カテゴリについて、興味解析部３３で解析された興味情報により、興味が大きくあるとされた順に色分けされて表示される。図８では、１０段階の色分けで「よく見ている」から「あまり見ていない」まで段階分けして表示した場合の例を示す。
【００６７】
こうした興味設定画面５０７により、ユーザは興味解析部３３で解析された興味情報が、各表示カテゴリについてどのようになっているかを確認することができる。また、不図示の設定ボタン等により、特定の表示カテゴリに分類されるコンテンツ情報だけを、上述した各一覧表示画面における一覧用画像群７０２に表示させないように設定できるようにしてもよい。
【００６８】
以上のような画面遷移により、ユーザが各種コンテンツ情報の再生及び記録に関連する所定の操作入力を行うと、興味解析部３３は、操作対象とされたコンテンツ情報に対するポイント付与を行い、カテゴリ単位毎に興味情報の解析を行うことになる。この興味情報の解析に基づく一覧表示画面の生成動作を図２に示す。
【００６９】
選択部３４は、興味解析部３３により解析された各カテゴリ単位についての累積ポイントに基づいて、累積ポイントの大きいカテゴリ単位から順にユーザにとって興味が大きいカテゴリ単位として、表示順序を設定する（ステップＳ１）。
【００７０】
なお、初回の電源投入時にはユーザ操作に応じたポイントの加算が行われておらず、従って累積ポイントも存在しないため、各カテゴリ単位に対してデフォルトとして予め定められたポイントに基づいて、各カテゴリ単位の表示順序を設定する。デフォルトとして定める各カテゴリ単位のポイントや表示順序は、設定等に応じて任意のものであってよい。
【００７１】
ここで、上述したアプリケーションの選択画面５０１において本実施形態の機能を実現するアプリケーションのアイコンがクリックされることで表示される初期の一覧表示画面が、時間順の一覧表示画面５０２として設定されているか、または、カテゴリ順の一覧表示画面５０３として設定されているかを、選択部３４は確認する。
【００７２】
初期の一覧表示画面が時間順の一覧表示画面５０２として設定されている場合、選択部３４は、上述した表示単位７０１となる更新からの各経過時間範囲について、累積ポイントの大きいカテゴリ単位から順に、そのカテゴリ単位に含まれるコンテンツ情報を表示対象とするよう、そのカテゴリ単位に含まれるコンテンツ情報を所定数まで記憶部４０から抽出する（ステップＳ２）。
【００７３】
各表示単位７０１に対して、表示対象として一覧用画像群７０２に含める一覧用画像の数は、表示形式により予め定められている。このため、選択部３４は、ステップＳ２の抽出として、各表示単位７０１に対して、表示対象とするコンテンツ情報をその一覧用画像の数だけ記憶部４０から抽出する。この場合、選択部３４は、更新からの経過時間範囲が所定の範囲内であるものについて、累積ポイントの大きいカテゴリ単位に含まれるものから順に、そのカテゴリ単位に含まれるコンテンツ情報を表示対象とするよう、所定数までコンテンツ情報を記憶部４０から抽出する。
【００７４】
また、初期画面がカテゴリ順の一覧表示画面５０３として設定されている場合、選択部３４は、累積ポイントの大きい表示カテゴリから順に、上位所定数の表示カテゴリについて、その表示カテゴリに分類されるカテゴリ単位に含まれるコンテンツ情報を表示対象とするよう、所定数までコンテンツ情報を記憶部４０から抽出する（ステップＳ３）。
【００７５】
各表示単位７０１に対して、表示対象として一覧用画像群７０２に含める一覧用画像の数は、表示形式により予め定められている。このため、選択部３４は、ステップＳ３の抽出として、各表示単位７０１に対して、表示対象とするコンテンツ情報をその一覧用画像の数だけ記憶部４０から抽出する。この場合、選択部３４は、累積ポイントの大きさが上位所定数の表示カテゴリについて、累積ポイントの大きいカテゴリ単位に含まれるものから順に、そのカテゴリ単位に含まれるコンテンツ情報を表示対象とするよう、所定数までコンテンツ情報を記憶部４０から抽出する。
【００７６】
こうして表示対象とするコンテンツ情報が選択部３４により記憶部４０から抽出されると、表示制御部３５は、記憶部４０から抽出された表示対象のコンテンツ情報に対応する一覧用画像を生成する（ステップＳ５）。一覧用画像を生成するために必要な情報は、例えば、代表画像と所定長さ範囲内の要約文など、コンテンツ情報に応じて予め定められていることとする。
【００７７】
次に、表示制御部３５は、ステップＳ５で生成した一覧用画像を、予め設定された表示形式の一覧表示画面における所定位置に配置し、一覧表示画面を生成する（ステップＳ６）。
【００７８】
なお、表示制御部３５は、一覧用画像を所定位置に配置する場合に、広告コンテンツ情報の一覧用画像がある場合は、その広告コンテンツ情報を操作表示部２０に表示するように選択してもよい。
【００７９】
また、表示制御部３５は、ステップＳ５で生成した一覧用画像を所定位置に配置する場合に、広告コンテンツ情報の一覧用画像がある場合は、その広告コンテンツ情報と類似するコンテンツ情報の一覧用画像の傍に、その広告コンテンツ情報の一覧用画像を配置するようにしても良い。
【００８０】
例えば、表示制御部３５は、ステップＳ５で生成した一覧用画像の中に、広告コンテンツ情報の一覧用画像がある場合は、その広告コンテンツ情報のカテゴリ単位と、ステップＳ５で生成した他の一覧用画像のコンテンツ情報のカテゴリ単位と、を比較し、広告コンテンツ情報のカテゴリ単位と類似するカテゴリ単位のコンテンツ情報を特定する。例えば、ステップＳ５で生成した一覧用画像の中に、サッカーのアプリの広告コンテンツ情報の一覧用画像と、サッカーのニュースのコンテンツ情報の一覧用画像と、があると仮定する。また、サッカーアプリの広告コンテンツ情報は、「サッカーの広告」のカテゴリ単位に属し、サッカーのニュースのコンテンツ情報は、「サッカー」、「ニュース」のカテゴリ単位に属すと仮定する。この場合、双方のコンテンツ情報が「サッカー」に関するコンテンツ情報であるため、双方のコンテンツ情報の類似度が高くなる。この場合、表示制御部３５は、図９に示すように、「サッカーのアプリの広告コンテンツ情報の一覧用画像」Ｆを、「サッカーのニュースのコンテンツ情報の一覧用画像」Ｅの傍に配置し、一覧表示画面を生成する。このように、コンテンツ情報のカテゴリ単位同士の類似度を比較し、広告コンテンツ情報との類似度が最も高いコンテンツ情報を、広告コンテンツ情報と類似するコンテンツ情報とすることも可能である。なお、双方のカテゴリ単位の類似度は、予め設定しておく。
【００８１】
また、コンテンツ情報のカテゴリ単位が同じ場合は、コンテンツ情報のカテゴリ単位同士を比較するのではなく、コンテンツ情報に含まれるキーワード同士を比較することも可能である。例えば、広告コンテンツ情報に含まれるキーワードと、他のコンテンツ情報に含まれるキーワードと、を比較し、双方のコンテンツ情報に出現するキーワードの出現数が最も高いコンテンツ情報を、広告コンテンツ情報と類似するコンテンツ情報として特定することも可能である。なお、キーワードの出現数ではなくキーワードの出現率を用いることも可能である。出現率は、コンテンツ情報に含まれるキーワード数に占める双方のコンテンツ情報に出現するキーワード数の割合で算出することができる。出現率を用いることで、例えば、双方のコンテンツ情報に出現するキーワード数が多くても、コンテンツ情報に含まれるキーワード数が多い場合は、出現率が低くなる場合がある。また、双方のコンテンツ情報に出現するキーワード数が少なくても、コンテンツ情報に含まれるキーワード数が少ない場合は、出現率が高くなる場合がある。
【００８２】
これにより、表示制御部３５は、ステップＳ５で生成した一覧用画像の中に、広告コンテンツ情報の一覧用画像がある場合は、その広告コンテンツ情報と類似するコンテンツ情報の一覧用画像の傍に、その広告コンテンツ情報の一覧用画像を配置することができる。その結果、コンテンツ情報の一覧用画像と広告コンテンツ情報の一覧用画像との双方の関連性が目視でわかるため、広告コンテンツ情報の一覧用画像の閲覧確率を向上させることができる。
【００８３】
なお、図９では、表示対象とするコンテンツ情報の傍に、そのコンテンツ情報の内容に関連する広告コンテンツ情報を表示するようにしている。しかし、コンテンツ情報と広告コンテンツ情報とを切り離して表示することも可能である。例えば、表示対象とするコンテンツ情報の本文の中に広告コンテンツ情報を表示するようにすることも可能である。具体的には、図９に示すコンテンツ情報の一覧用画像Ｅの中に広告コンテンツ情報を表示するようにする。または、図９に示すコンテンツ情報の一覧用画像Ｅをクリックした際に操作表示部２０に表示される詳細表示画面５０６の中に広告コンテンツ情報を表示させるようにする。この場合も、コンテンツ情報と広告コンテンツ情報とを関連付けて操作表示部２０に表示することになるため、広告コンテンツ情報の閲覧確率を向上させることができる。
【００８４】
また、表示対象とするコンテンツ情報の内容に関連する広告コンテンツ情報を予め設定された表示位置に表示するようにすることも可能である。この場合も、コンテンツ情報と広告コンテンツ情報とを関連付けて操作表示部２０に表示することになるため、広告コンテンツ情報の閲覧確率を向上させることができる。なお、広告コンテンツ情報を表示する表示位置は、特に限定せず、任意の位置に配置することが可能である。例えば、表示画面毎に表示位置を任意に設定したりすることも可能である。
【００８５】
次に、興味解析部３３は、操作表示部２０で表示されている一覧用画像の各コンテンツに対する、再生要求、削除要求、無操作（他のコンテンツのみ操作）、保存、他のサービスへの情報発信、検索などの予め定められた操作を監視する（ステップＳ７）。
【００８６】
操作があった場合、興味解析部３３は、上述のように操作対象とされたコンテンツ情報に対するポイント付与を行う。そして、その付与されたポイントを興味解析部３３が上述のようにカテゴリ単位毎に合算することにより、各カテゴリ単位についての興味情報の解析を行う（ステップＳ８）。
【００８７】
また、上述したステップＳ１〜Ｓ８の一連の動作以降も興味解析部３３は、ステップＳ７での各種コンテンツ情報の再生及び記録に関連する所定の操作入力の監視を続ける。そして、所定の操作入力が行われる度に、興味解析部３３は操作内容に応じて各カテゴリ単位における累積ポイントを更新する。
【００８８】
このようにすることで、次回に選択部３４で表示対象として選択されるコンテンツ情報が変化し、結果として一覧表示画面を構成する一覧用画像が変化する。このため、ユーザが一覧表示画面で再生や記録などの各種操作を行うことを続けていくと、一覧表示画面を構成する一覧用画像が、よりいっそう利用者の興味を反映したものとなっていく。
【００８９】
なお、図２では、ステップＳ５で表示対象の一覧用画像を生成している。この場合、ステップＳ５で生成する一覧用画像を全て広告コンテンツ情報の一覧用画像にすることも可能である。この場合は、図２に示すステップＳ２、Ｓ３で表示対象として記憶部４０から抽出するコンテンツ情報を広告コンテンツ情報にすることになる。これにより、端末装置１００への操作内容に基づいて記憶部４０から選択された広告コンテンツ情報を操作表示部２０に表示することができる。
【００９０】
また、ステップＳ５で生成する一覧用画像を全て一般コンテンツ情報の一覧用画像にすることも可能である。この場合は、図２に示すステップＳ２、Ｓ３で表示対象として記憶部４０から抽出するコンテンツ情報を一般コンテンツ情報にすることになる。但し、この場合は、ステップＳ５で生成した一覧用画像の一般コンテンツ情報の内容に関連する広告コンテンツ情報の一覧用画像を表示する。これにより、端末装置１００への操作内容に基づいて記憶部４０から選択された一般コンテンツ情報に関連する広告コンテンツ情報を操作表示部２０に表示することができる。ステップＳ５で生成した一覧用画像は、選択部３４で選択された表示対象となる一般コンテンツ情報となる。キーワード抽出部３６は、選択部３４により表示対象として選択された一般コンテンツ情報からテキストデータを抽出し、そのテキストデータから、所定のアルゴリズムにより所定種類の名詞等を、検索用のキーワードとして抽出する。コンテンツ情報取得部３７は、キーワード抽出部３６により抽出されたキーワードの内容に基づいて、記憶部４０を検索し、キーワードの内容に関連する広告コンテンツ情報を取得する。これにより、コンテンツ情報取得部３７は、選択部３４により表示対象として選択された一般コンテンツ情報の内容に関連する広告コンテンツ情報を取得することができる。表示制御部３５は、ステップＳ５で生成したコンテンツ情報の一覧用画像と共に、コンテンツ情報取得部３７が取得した広告コンテンツ情報の一覧用画像を操作表示部２０に表示する。これにより、ユーザの興味情報に基づいて選択した一般コンテンツ情報の内容に関連する広告コンテンツ情報の一覧用画像を操作表示部２０に表示することができる。ステップＳ５で生成した一覧用画像の一般コンテンツ情報は、ユーザの興味情報に基づいて選択した一般コンテンツ情報であるため、その一般コンテンツ情報のキーワードの内容に関連する広告コンテンツ情報は、ユーザに興味のある広告コンテンツ情報となる。その結果、本実施形態の端末装置１００は、ユーザが閲覧している一般コンテンツ情報の内容に関連し、且つ、ユーザに興味のある広告コンテンツ情報をユーザに提供することができる。
【００９１】
なお、上記例では、コンテンツ情報取得部３７は、キーワード抽出部３６により抽出されたキーワードの内容に基づいて、記憶部４０を検索し、キーワードの内容に関連する広告コンテンツ情報を取得する。表示制御部３５は、コンテンツ情報取得部３７が取得した広告コンテンツ情報を操作表示部２０に表示している。この場合、表示制御部３５は、選択部３４により選択された表示対象とする一般コンテンツ情報に含まれるキーワードと、コンテンツ情報取得部３７が取得した広告コンテンツ情報に含まれるキーワードと、を比較し、表示対象とする一般コンテンツ情報に含まれるキーワードと同じキーワードの出現率が所定の値以上の広告コンテンツ情報を操作表示部２０に表示するようにすることも可能である。これにより、表示対象とする一般コンテンツ情報の内容により関連する広告コンテンツ情報を操作表示部２０に表示することができる。例えば、表示対象とする一般コンテンツ情報に含まれるキーワードがＡ、Ｂ、Ｃと仮定する。また、コンテンツ情報取得部３７が取得した広告コンテンツ情報αに含まれるキーワードＡが１回出現したと仮定する。また、広告コンテンツ情報βに含まれるキーワードＡが１回出現し、Ｂが１回出現したと仮定する。また、広告コンテンツ情報γに含まれるキーワードＡが１回出現し、Ｂが１回出現し、Ｃが１回出現したと仮定する。また、所定の値が、８０％とする。この場合、広告コンテンツ情報αは、表示対象とする一般コンテンツ情報に含まれるキーワードＡ、Ｂ、Ｃと同じキーワードの出現率が１／３となる。また、広告コンテンツ情報βは、表示対象とする一般コンテンツ情報に含まれるキーワードＡ、Ｂ、Ｃと同じキーワードの出現率が２／３となる。また、広告コンテンツ情報γは、表示対象とする一般コンテンツ情報に含まれるキーワードＡ、Ｂ、Ｃと同じキーワードの出現率が３／３となる。このため、表示制御部３５は、表示対象とする一般コンテンツ情報に含まれるキーワードと同じキーワードの出現率が８０％以上の広告コンテンツ情報γを操作表示部２０に表示するようにする。これにより、一般コンテンツ情報の内容とより関連する広告コンテンツ情報を操作表示部２０に表示することができるため、広告コンテンツ情報の閲覧確率を向上させることができる。なお、上記の出現率は、表示対象とする一般コンテンツ情報に含まれるキーワードと同じキーワード数を基に出現率を算出しているが、各キーワードの出現数も踏まえて出現率を算出することも可能である。例えば、各キーワードの出現数に応じた重み付けを施して出現率を算出することも可能である。
【００９２】
また、上記例では、コンテンツ情報取得部３７は、キーワード抽出部３６により抽出されたキーワードの内容に基づいて、記憶部４０を検索し、キーワードの内容に関連する広告コンテンツ情報を取得している。しかし、コンテンツ情報取得部３７は、選択部３４により選択された表示対象とする一般コンテンツ情報に付与されているタグと同一分類に属する広告コンテンツ情報を記憶部４０から取得することも可能である。この場合、表示制御部３５は、コンテンツ情報取得部３７が取得した広告コンテンツ情報を操作表示部２０に表示することもできるが、表示対象とする一般コンテンツ情報と広告コンテンツ情報との類似度を算出し、その算出した類似度が所定の値以上の広告コンテンツ情報を操作表示部２０に表示することが好ましい。これにより、表示対象とする一般コンテンツ情報により関連する広告コンテンツ情報を操作表示部２０に表示することができる。なお、類似度の算出方法は特に限定せず、任意の方法で算出することが可能である。また、上記の所定の値は任意に設定変更することが可能である。
【００９３】
また、コンテンツ情報取得部３７は、選択部３４により選択された表示対象とする一般コンテンツ情報のテキストデータやタイトルを形態素解析し、その解析結果を基に、一般コンテンツ情報の内容に関連する広告コンテンツ情報を取得することも可能である。この場合、表示制御部３５は、コンテンツ情報取得部３７が取得した広告コンテンツ情報を操作表示部２０に表示することもできるが、コンテンツ情報取得部３７が取得した広告コンテンツ情報の中の名詞の共起に基づくJaccard係数などを基に、表示対象とする一般コンテンツ情報と広告コンテンツ情報との類似度を算出し、その算出した類似度が所定の値以上の広告コンテンツ情報を操作表示部２０に表示することが好ましい。これにより、表示対象とする一般コンテンツ情報の内容により関連する広告コンテンツ情報を操作表示部２０に表示することができる。なお、類似度の算出方法は特に限定せず、任意の方法で算出することが可能である。また、上記の所定の値は任意に設定変更することが可能である。
【００９４】
＜本実施形態の端末装置１００の作用・効果＞
本実施形態の端末装置１００は、コンテンツ情報を提供する情報提供者に対し、端末装置１００を特定する端末特定情報の提供が求められる広告コンテンツ情報と、必ずしも端末特定情報の提供が求められることのない一般コンテンツ情報と、の不特定多数のコンテンツ情報をネットワークから収集し、記憶部４０に蓄積する。そして、端末装置１００への操作内容に基づいて記憶部４０に蓄積した不特定多数のコンテンツ情報の中から表示対象とする表示コンテンツ情報を選択する。また、表示対象とする表示コンテンツ情報に関連する広告コンテンツ情報を記憶部４０から更に選択する。そして、記憶部４０から選択した表示コンテンツ情報及び表示コンテンツ情報に関連する広告コンテンツ情報を操作表示部２０に表示する。なお、表示対象とする表示コンテンツ情報の中に広告コンテンツ情報が含まれている場合は、その広告コンテンツ情報を操作表示部２０に表示するように選択してもよい。また、端末装置１００への操作内容に基づいて記憶部４０から選択し、その選択した広告コンテンツ情報を操作表示部２０に表示するようにしてもよい。
【００９５】
特定の端末特定情報を持つ端末装置１００がどの広告コンテンツ情報を読み込み、どの広告コンテンツ情報を読み込んでいないかをＷｅｂサーバ２００側が把握することで、その特定の端末特定情報を持つ端末装置１００のユーザがどのようなものに興味を持っているかがＷｅｂサーバ２００側で把握できてしまう。また、一般コンテンツ情報の閲覧と広告コンテンツ情報の閲覧とが同時に行われた場合、それらのコンテンツ情報が１つの広告ネットワークから提供されているとすると、その広告ネットワークを提供するＷｅｂサーバ２００側は、端末装置１００のユーザがどの広告コンテンツ情報に興味があるかだけでなく、どの一般コンテンツ情報に興味があるかも把握できてしまう。そのため、プライバシ保護の観点から好ましくない。
【００９６】
本実施形態の端末装置１００は、広告コンテンツ情報や一般コンテンツ情報をＷｅｂサーバ２００から取得する場合は、端末特定情報をＷｅｂサーバ２００に提供することになる。しかし、本実施形態の端末装置１００は、広告コンテンツ情報や一般コンテンツ情報をユーザが閲覧するかしないかにかかわらず、不特定多数の広告コンテンツ情報や一般コンテンツ情報をＷｅｂサーバ２００から逐次取得し記憶部４０に蓄積するため、Ｗｅｂサーバ２００側は、端末特定情報を取得しても、ユーザがどのコンテンツ情報を閲覧したかを把握することができないことになる。また、本実施形態の端末装置１００は、記憶部４０に蓄積した不特定多数の広告コンテンツ情報の中から選択された表示コンテンツ情報及び広告コンテンツ情報を操作表示部２０に表示している。このため、Ｗｅｂサーバ２００側は、どの表示コンテンツ情報、どの広告コンテンツ情報を操作表示部２０に表示するのかを把握することができない。これにより、ユーザのプライバシを保護することができる。
【００９７】
また、本実施形態の端末装置１００は、端末装置１００への操作内容に基づいて記憶部４０から選択された表示コンテンツ情報及び表示コンテンツ情報に関連する広告コンテンツ情報、または、端末装置１００への操作内容に基づいて記憶部４０から選択された広告コンテンツ情報を操作表示部２０に表示している。このため、ユーザの所望する広告コンテンツ情報をユーザに提供することができる。
【００９８】
なお、操作表示部２０に表示した広告コンテンツ情報をユーザがクリックしてその広告コンテンツ情報に関する詳細情報をＷｅｂサーバ２００側から取得する場合は、その広告コンテンツ情報に関する詳細情報だけでなく、他の広告コンテンツ情報に関する詳細情報もダミーとしてＷｅｂサーバ２００側から取得するようにする。これにより、端末装置１００は、操作表示部２０に表示された広告コンテンツ情報の詳細情報だけでなく、操作表示部２０に表示されていない非表示対象のダミーの広告コンテンツ情報の詳細情報をＷｅｂサーバ２００側から取得するため、Ｗｅｂサーバ２００側は、端末装置１００から端末特定情報を取得しても、ユーザがどの広告コンテンツ情報を閲覧したかを把握することができないことになる。
【００９９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１００】
例えば、興味解析部３３による興味情報の解析方法は、上述のようにコンテンツ情報への操作内容に応じてポイントを付与する方法に限定されず、コンテンツに対するユーザの興味の大きさを解析可能であれば任意の方法を用いてよい。
【０１０１】
また、選択部３４によるコンテンツの選択方法は、上述のように興味解析部３３でカテゴリに付与されたポイントの大きい順に単純に選別する方法に限定されず、興味解析部３３でのポイント付与の一定期間内での総合計値を報酬として強化学習などを行う方法など、任意の方法を用いてよい。
【０１０２】
また、上記実施形態では、一覧用画像による一覧表示画面を生成することにしている。しかし、画像に限定せず、各種情報を含んだ一覧表示画面を生成することも可能である。
【０１０３】
また、上記実施形態の情報処理システムを構成する各装置における制御動作は、ハードウェア、ソフトウェア、あるいは、両者の複合構成を用いて実行することも可能である。
【０１０４】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１０５】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１０６】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１０７】
また、上記実施形態の情報処理システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１０８】
１００    端末装置
２００    Ｗｅｂサーバ
１０    通信部
２０    操作表示部
３０    制御部
３１    情報取得部
３２    カテゴリ判別部
３３    興味解析部
３４    選択部
３５    表示制御部
４０    記憶部
４１    カテゴリ単位テーブル
６０１    アイコン群
６０２    ロゴマーク
７００    表示モード設定
７０１    表示単位
７０２    一覧用画像群
【図１】
2015022555.tif 000003
【図２】
2015022555.tif 000004
【図３】
2015022555.tif 000005
【図４】
2015022555.tif 000006
【図５】
2015022555.tif 000007
【図６】
2015022555.tif 000008
【図７】
2015022555.tif 000009
【図８】
2015022555.tif 000010
【図９】
2015022555.tif 000011